(57)【要約】【課題】集水管周辺に集積した閉塞物の除去及び成長を抑制することができる洗浄システム及び洗浄方法を提供する。【解決手段】洗浄水を生成する洗浄水供給源１と、横ボーリング５に設置された集水管６に洗浄水を供給する給水管２と、給水管２を管内に通す外装管３と、外装管３の一方端と連結する外装管連結部４ａと横ボーリング５に設置された集水管６の排水口側端部６ｂとを連結する集水管連結部４ｃを有する連結治具４と、を備え、外装管３は集水管の排水口側端部より上の所定高さに立ち上げて設置され、洗浄水供給源１から給水管２を介して集水管６に洗浄水を継続して供給し、横ボーリング５の内壁５ａと集水管６の外壁６ｄとの間に設けられる集水空間、及び、横ボーリング５の内壁５ａより外に洗浄水を浸透させる、洗浄システムである。【選択図】図１
2018016979.tif 000002
【特許請求の範囲】
【請求項１】
洗浄水供給源と
横ボーリングに設置された集水管に洗浄水を供給する給水管と、
前記給水管を管内に通す外装管と、
前記外装管の一方端と連結する外装管連結部と前記横ボーリングに設置された前記集水管の排水口側端部と連結する集水管連結部とを有する連結治具と、を備え、
前記外装管は前記集水管の排水口側端部より上の所定高さに立ち上げて設置され、洗浄水供給源から前記給水管を介して前記集水管内に前記洗浄水を供給し、前記横ボーリングの内壁と前記集水管の外壁との間に設けられる集水空間、及び、前記横ボーリングの地盤側に前記洗浄水を浸透させる、
ことを特徴とする洗浄システム。
【請求項２】
請求項１に記載の洗浄システムであって、
前記外装管の所定高さまで前記洗浄水が達したときから、前記横ボーリングの地盤側に前記洗浄水が浸透したと見做すことができる所定時間を経過するまで前記洗浄水の供給をし、
前記所定時間を経過した後、前記連結治具に設けられる排水口を開放する、
ことを特徴とする洗浄システム。
【請求項３】
洗浄水を供給する給水管を管内に通す外装管の一方端と、横ボーリングに設置された集水管の排水口側端部と、を連結治具を介して連結し、
前記外装管を前記集水管の排水口側端部より上の所定高さに立ち上げて設置し、
前記洗浄水を生成する洗浄水供給源から、前記給水管を介して前記集水管に前記洗浄水を供給し、前記横ボーリングの内壁と前記集水管の外壁との間に設けられる集水空間に前記洗浄水を供給し、前記横ボーリングの内壁と前記集水管の外壁との間に設けられる集水空間、及び、前記横ボーリングの地盤側に前記洗浄水を浸透させる、
ことを特徴とする洗浄方法。
【請求項４】
請求項３に記載の洗浄システムであって、
前記外装管の所定高さまで前記洗浄水が達した時間から、前記横ボーリングの地盤側に前記洗浄水が浸透したと見做すことができる所定時間を経過するまで前記洗浄水の供給をし、
前記所定時間を経過した後、前記連結治具に設けられる排水口を開放する、
ことを特徴とする洗浄方法。
【発明の詳細な説明】
【技術分野】
【０００１】
本発明は、横ボーリングの洗浄システム及び洗浄方法に関する。
【背景技術】
【０００２】
集水井の横ボーリングに設けられる集水管は、定期的に洗浄しないと集水管内に、例えば、細粒土、バイオフィルム、スケールなどの閉塞物が集積して排水機能が低下する。そこで、従来は高圧洗浄により集水管内壁に集積した閉塞物を取り除いている。
【０００３】
また、マイクロナノバブル洗浄に関連する技術として特許文献１、２が知られている。
【先行技術文献】
【特許文献】
【０００４】
【特許文献１】特開２０１４−１４１８０２号公報
【特許文献２】特開２０１１−２３０１０６号公報
【発明の概要】
【発明が解決しようとする課題】
【０００５】
しかしながら、高圧洗浄では噴射した高圧水の衝撃力で集水管内壁に集積した閉塞物を除去しているため、例えば、塩化ビニル製などの集水管が破損する虞がある。また、閉塞物は集水管内壁だけに集積する訳ではない。集水管の側面に設けられる地下水を集水するための複数の集水孔部や、横ボーリングの内壁と集水管の外壁との間に設けられる地下水を集水するための集水空間にも、閉塞物は集積する。ところが、高圧洗浄では集水孔部及び集水空間に集積した閉塞物まで高圧水が届かないため、閉塞物を取り除くことが困難である。
【０００６】
そこで、マイクロナノバブル洗浄水を適用して集水管内壁に集積した閉塞物を除去する方法が考えられる。この方法によれば、高圧水を用いないので集水管を破損する虞は削減される。しかし、この方法を適用したとしても、集水孔部及び集水空間に集積した閉塞物を取り除くことが困難である。理由は、横ボーリングは地盤を水平から斜め上方向に掘った筒形状の中空であり、集水管はその横ボーリングに設けられているため、集水管内に供給されたマイクロナノバブル洗浄水は集水管内に滞留されずに集水管内壁を伝わって集水井にすぐに排出されてしまうためである。そうすると、横ボーリングに設けられた集水管においては、集水管内壁の洗浄さえ困難となる。更に、集水管には、例えば口径５［ｍｍ］程度の円孔が集水孔部として６０［ｍｍ］間隔で千鳥配置されているため、集水孔部は閉塞しやすく、集水孔部が閉塞していると集水空間までマイクロナノバブル洗浄水を十分に浸透させることが困難である。
【０００７】
本発明の一側面に係る目的は、集水管周辺に集積した閉塞物の除去及び成長を抑制することができる洗浄システム及び洗浄方法を提供することである。
【課題を解決するための手段】
【０００８】
本発明に係る一つの形態である洗浄システムは、洗浄水供給源、給水管、外装管、連結治具を備える。
洗浄水供給源は、洗浄水を生成する。給水管は、横ボーリングに設置された集水管に洗浄水を供給する。外装管は、給水管を管内に通す。連結治具は、外装管の一方端と連結する外装管連結部と横ボーリングに設置された集水管の排水口側端部と連結する集水管連結部とを有する。
【０００９】
外装管は集水管の排水口側端部より上の所定高さに立ち上げて設置され、洗浄水供給源から給水管を介して集水管内に洗浄水を供給し、横ボーリングの内壁と集水管の外壁との間に設けられる集水空間、及び、横ボーリングの地盤側に洗浄水を浸透させる。
【００１０】
また、外装管の所定高さまで洗浄水が達したときから、横ボーリングの地盤側に洗浄水が浸透したと見做すことができる所定時間を経過するまで洗浄水の供給をし、所定時間を経過した後、連結治具に設けられる排水口を開放する。
【００１１】
また、本発明に係る一つの形態である洗浄方法では、洗浄水を供給する給水管を管内に通す外装管の一方端と、横ボーリングに設置された集水管の排水口側端部と、を連結治具を介して連結する。続いて、外装管を集水管の排水口側端部より上の所定高さに立ち上げて設置し、洗浄水を生成する洗浄水供給源から、給水管を介して集水管に洗浄水を供給する。そして、横ボーリングの内壁と集水管の外壁との間に設けられる集水空間に洗浄水を供給し、横ボーリングの内壁と集水管の外壁との間に設けられる集水空間、及び、横ボーリングの地盤側に洗浄水を浸透させる。
【００１２】
また、外装管の所定高さまで洗浄水が達した時間から、横ボーリングの内壁より外に洗浄水が浸透したと見做すことができる所定時間まで洗浄水の供給をし、所定時間を経過した後、連結治具に設けられる排水口を開放する。
【発明の効果】
【００１３】
集水管周辺に集積した閉塞物の除去及び成長を抑制することができる。
【図面の簡単な説明】
【００１４】
【図１】洗浄システムの一実施例を示す構成図である。
【図２】集水管とその周辺の構造を示す断面図である。
【図３】連結治具の一実施例を示す断面図である。
【図４】洗浄システムの動作の一実施例を示すフロー図である。
【発明を実施するための形態】
【００１５】
以下図面に基づいて実施形態について詳細を説明する。
洗浄システムは、集水井の側面に設けられた横ボーリング周辺に集積した閉塞物を、洗浄水を用いて洗浄するシステムである。ここで、洗浄水は、例えば、マイクロバブル水、マイクロナノバブル水、ナノバブル水などの浸透、剥離、溶解作用に優れた液体である。図１は、洗浄システムの一実施例を示す構成図である。図１に示す洗浄システムは、洗浄水供給源１、給水管２、外装管３、連結治具４を有する。また、図１に示す集水井の壁面には、壁面から掘られた横ボーリング５が設けられ、その横ボーリング５の内部には、集水管６とシール材７とが設けられている。
【００１６】
図１、図２を用いて横ボーリング５と集水管６の構造について説明をする。
図２は、集水管６とその周辺の構造を示す断面図で、図１に示す破線Ａ１−Ａ２と破線Ｂ１−Ｂ２で示される区間の断面図である。
【００１７】
横ボーリング５は、地盤を水平から斜め上方向に掘った筒形状の中空である。
集水管６は、地下水を集水するための入水口側端部６ａと、地下水を集水するための集水管６の側面に開けられた複数の集水孔部６ｃと、集水管６に集水された地下水を集水井に排出する排水口側端部６ｂとを有する。また、集水管６は、筒形状の管で、例えば、塩化ビニル管やスチールファイバ管などが考えられる。ただし、集水管６はこれらに限定されるものではない。また、集水管６は、図２に示すように、横ボーリング５の内壁５ａと集水管６の外壁６ｄとの間に、地下水を集水するための集水空間を保持するように、横ボーリング５の内部に設置される。
【００１８】
シール材７は、集水空間を保持するために横ボーリング５の内壁５ａと集水管６の外壁６ｄとの間に設けられる。シール材７は、例えば、リング形状のゴムや膨張材などが考えられる。
【００１９】
また、図１、図２には、閉塞物（網掛け範囲）が、集水管６の内壁６ｅ、集水孔部６ｃ、集水空間、横ボーリング５の内壁５ａ、その外側の地盤に集積していることを示している。このように、閉塞物が集水管６周辺に集積することが排水機能を低下させる原因となっている。
【００２０】
洗浄システムの構成について説明をする。
図１に示す洗浄水供給源１は、洗浄水を給水管２を介して集水管６内部に洗浄水を供給する。洗浄水供給源１から供給される洗浄水がマイクロナノバブルである場合、マイクロナノバブルの径は、例えば、１０［ｎｍ］〜１００［μｍ］程度であることが望ましい。また、洗浄水供給源１は、マイクロナノバブルの径を閉塞物の種類に応じて変更させてもよい。すなわち、閉塞物の洗浄に適した洗浄水を供給することで、集水管６周辺の閉塞物を効率よく洗浄することができる。また、マイクロナノバブルを生成する際に使用するガスを、閉塞物に適したガスに変更させてもよい。例えば、炭酸ガスを用いた場合、洗浄後に嫌気性の環境を集水管６周辺に形成することができるので、長期間にわたり閉塞物の成長を遅らせることができる。
【００２１】
給水管２は、洗浄水供給源１から供給される洗浄水を、横ボーリング５内に設置された集水管６内に排出する。また、給水管２の一方の端部は洗浄水供給源１に接続され、他方の端部（先端部）には照射部８が備えられている。また、照射部８から洗浄水を照射する。給水管２は、可撓性の筒形状の表面が高分子の管で、例えば、ポリブデン管や塩化ビニル管などが考えられる。ただし、これらに限定されるものではない。
【００２２】
外装管３は、管内に給水管２を通す筒形状の管である。また、外装管３は、閉塞物の洗浄を実施する場合に集水管の排水口側端部より上の所定高さに立ち上げて設置し、洗浄水の水位を所定高さにさせておくために用いる。このように、洗浄水の水位を所定高さにさせておくことで、洗浄水を集水管６に滞留させ、洗浄水を集水空間及び横ボーリング５より外の地盤に浸透させることができる。なお、閉塞物がある場合、最初は浸透し難いが洗浄水を供給し続けることで、洗浄水は地盤に浸透することとなる。
【００２３】
なお、所定高さは、集水管６の排水口側端部より上から横ボーリング５の先端高さ以上である。例えば、外装管３を横ボーリング５の先端高さ以上に立ち上げて設置した場合、洗浄水を供給すると、図１に示す破線Ｃ１−Ｃ２の高さ以上の水位に洗浄水は達する。また、外装管３を横ボーリング５の中間の高さに立ち上げて設置した場合、洗浄水を供給すると、横ボーリング５の中間の高さ以上に洗浄水の水位は達する。また、外装管３の先端は、地盤への浸透を考慮し、所定高さに立ち上げたのち、所定高さより下に配置してもよい。
【００２４】
また、外装管３は、可撓性の筒形状の管で、例えば、樹脂ホースや塩化ビニル管などが考えられる。ただし、これらに限定されるものではない。また、外装管３の設置は、例えば、集水井上部にされている柵あるいは集水井上部に綱を張りその綱に固定することが考えられる。また、集水井側面に固定してもよい。
【００２５】
連結治具４は、外装管３と集水管６とを連結させるための治具である。図１、図３を用いて連結治具４について説明をする。図３は、連結治具４の一実施例を示す断面図である。連結治具４は、外装管３の一方端と連結される外装管連結部４ａと、本体部４ｂと、横ボーリング５に設置された集水管６の排水口側端部６ｂと連結される集水管連結部４ｃと、を有する。また、連結治具４には開閉可能な排水口４ｄ１が設けられている。図３では、排水口４ｄ１を栓４ｄ２を用いて開閉可能な構成が示されているが、電磁弁などを用いてもよい。
【００２６】
外装管連結部４ａと外装管３の連結治具４側の端部（外装管の一方端）との連結には、図３に示すようにバンド４ｅなどを用いる。また、本体部４ｂの端部４ｂ１と集水管連結部４ｃの端部４ｃ１との連結には、図３に示すようにバンド４ｆなどを用いる。また、集水管連結部４ｃの端部４ｃ２と集水管６の排水口側端部６ｂとの連結には、図３に示すようにバンド４ｇなどを用いる。なお、集水管連結部４ｃは、可撓性の筒形状の管で、例えば、樹脂ホースや塩化ビニル管などが考えられる。ただし、これらに限定されるものではない。
【００２７】
洗浄手順について説明する。
図４は、洗浄システムの動作の一実施例を示すフロー図である。
ステップＳ１では、給水管２を外装管３、連結治具４、集水管６の順に通す。作業者は、給水管２の先端部に設けられている照射部８を、外装管３の洗浄水供給源１側の端部から連結治具４側の端部へと通し、続いて連結治具４の外装管連結部４ａから端部４ｃ２へと通し、続いて集水管６の排水口側端部６ｂから集水管６内部へと通す。
【００２８】
ステップＳ２では、洗浄水供給源１が洗浄水を生成し、給水管２を介して集水管６に給水する。作業者は、洗浄水供給源１を起動させ、洗浄水供給源１から給水管２を介して集水管６内へ洗浄水の供給を開始させる。
【００２９】
ステップＳ３では、照射部８を集水管６の入水口側端部６ａ周辺に挿入させ、図１に示す状態にする。
ステップＳ４では、連結治具４を外装管３と集水管６と連結する。作業者は、バンド４ｅを用いて外装管連結部４ａと外装管３の連結治具４側の端部（外装管の一方端）とを連結し、バンド４ｆを用いて本体部４ｂの端部４ｂ１と集水管連結部４ｃの端部４ｃ１とを連結し、バンド４ｇを用いて集水管連結部４ｃの端部４ｃ２と集水管６の排水口側端部６ｂとを連結する。
【００３０】
ステップＳ５では、外装管３を所定高さに立ち上げて設置する。作業者は、集水管６あるいは横ボーリング５の先端高さまで外装管３を立ち上げて、集水井上部あるいは側面に固定する。
【００３１】
ステップＳ６では、洗浄水を供給して集水管６内のある程度の閉塞物が排出させる。つまり、ステップＳ２において既に洗浄水は照射部８から照射されているので、集水管６の内壁６ｅの閉塞物がある程度取り除くことができる。また、このとき連結治具４の排水口４ｄ１は開放されているので、排水口４ｄ１から取り除かれた閉塞物が排出される。
【００３２】
なお、ステップＳ４の連結治具４を外装管３と集水管６とに連結する作業、及び、ステップＳ５の外装管３を所定高さに立ち上げる作業は、ステップＳ６の後に実施してもよい。
【００３３】
ステップＳ７では、ステップＳ６である程度の閉塞物が排出されたと判断したら、連結治具４の排水口４ｄ１を栓４ｄ２で閉塞する。
なお、ある程度の閉塞物が排出されたか否かの判断は、例えば、作業者が目視で行ってもよいし、あるいは水質計や濁度計などの計測装置を用いて行ってもよい。
【００３４】
ステップＳ８では、外装管３内における洗浄水が所定高さになってから所定時間を経過したか否かを判断し、所定時間を経過している場合（Ｙｅｓ）にはステップＳ１０に移行し、所定時間を経過していない場合（Ｎｏ）にはステップＳ９に移行し、ステップＳ９で洗浄水の供給をする。すなわち、洗浄水を生成する洗浄水供給源１から、給水管２を介して集水管６内に洗浄水を供給することで、横ボーリング５の内壁５ａと集水管６の外壁６ｄとの間に設けられる集水空間、及び、横ボーリング５の内壁５ａより外側の地盤に洗浄水を浸透させることができる。
【００３５】
洗浄水が浸透したかの判断は、外装管３の所定位置まで洗浄水が達したときから、横ボーリング５の内壁５ａより外側の地盤に洗浄水が浸透したと見做すことができる所定時間を経過するまで洗浄水を供給したか否かで判断する。洗浄水が浸透したと見做すことができる所定時間とは、図１に示す実線で示される洗浄水浸透範囲９まで洗浄水が浸透したと見做せる時間である。すなわち、所定時間を経過すれば、実線で示される洗浄水浸透範囲９まで洗浄水が浸透したと判断できるので、洗浄水の持つ剥離、溶解作用により閉塞物を除去できたものと判断できる。
【００３６】
ステップＳ１０では、所定時間を経過した場合、作業者は、排水口４ｄ１を開放して洗浄水と閉塞物が排出させる。続いて、作業者は、外装管連結部４ａと外装管３の連結治具４側の端部（外装管の一方端）とを連結しているバンド４ｅと、本体部４ｂの端部４ｂ１と集水管連結部４ｃの端部４ｃ１とを連結しているバンド４ｆと、集水管連結部４ｃの端部４ｃ２と集水管６の排水口側端部６ｂとを連結しているバンド４ｇを取り外す。続いて、作業者は、給水管２を集水管６、連結治具４、外装管３から引き出す。その後、作業者は洗浄水供給源１を停止させる。
【００３７】
上記洗浄装置及び洗浄方法によれば、洗浄水を集水管６周辺に滞留させることができるため、集水管６周辺に集積した閉塞物を除することができる。
また、集水管６周辺の閉塞物の除去及び成長を抑制ができるため、横ボーリング５の寿命を長くすることができる。
【００３８】
また、洗浄水に炭酸ガスを用いて生成されたマイクロナノバブル水を供給することで、洗浄後に嫌気性の環境を集水管６周辺に形成することができ、洗浄水を長期滞留させることにより閉塞物の成長を抑制できる。
【００３９】
なお、上述した実施形態では、一つの横ボーリング５に対する洗浄について説明したが、複数の横ボーリングに対して洗浄水を用いて洗浄を同時に実施してもよい。
また、本発明は、以上の実施の形態に限定されるものでなく、本発明の要旨を逸脱しない範囲内で種々の改良、変更が可能である。
【符号の説明】
【００４０】
１  洗浄水供給源
２  給水管
３  外装管
４  連結治具
４ａ  外装管連結部
４ｂ  本体部
４ｂ１  端部
４ｃ  集水管連結部
４ｃ１  端部
４ｃ２  端部
４ｄ１  排水口
４ｄ２  栓
４ｅ、４ｆ、４ｇ  バンド
５  横ボーリング
５ａ  内壁
６  集水管
６ａ  入水口側端部
６ｂ  排水口側端部
６ｃ  集水孔部
６ｄ  外壁
６ｅ  内壁
７  シール材
８  照射部
９  洗浄水浸透範囲
【図１】
2018016979.tif 000003
【図２】
2018016979.tif 000004
【図３】
2018016979.tif 000005
【図４】
2018016979.tif 000006